(57)【特許請求の範囲】
【請求項１】
開口部の両側部に設けられ該両側部に挟まれる前記開口部の一辺部に固定された収納ケースの内部で正逆回転される巻取部材に巻装される開閉体の両側の縁部を受け入れる上端部が前記収納ケースの内部に配置されるガイドレールの構造であって、
前記上端部は前記開閉体の縁部を受け入れるガイド溝の上部が開放し、
前記ガイド溝を挟んで対向する一対の溝対向部のそれぞれには消音帯が取り付けられ、
前記消音帯は前記上端部から上方へ延出する長さを有しかつ延出端部が前記開閉体から離反する方向に曲げられた後に前記収納ケースの内部における所定の位置に固定されたことを特徴とするガイドレールの構造。
【請求項２】
請求項１記載のガイドレールの構造であって、
前記収納ケースの内部における所定の位置が、前記ガイドレールとされることを特徴とするガイドレールの構造。
【請求項３】
請求項２記載のガイドレールの構造であって、
前記延出端部が、前記ガイドレールの内側に固定されることを特徴とするガイドレールの構造。
【請求項４】
請求項２又は３記載のガイドレールの構造であって、
前記ガイドレールに、前記延出端部を取り付ける延出端取付部が形成されることを特徴とするガイドレールの構造。
【請求項５】
請求項２，３，４のいずれか１つに記載のガイドレールの構造であって、
前記ガイドレールの溝対向部には前記消音帯を長手方向に差し込む挿着形状部が形成され、
同一形状の前記挿着形状部が前記ガイドレールの延出端取付部にも形成されていることを特徴とするガイドレールの構造。
【請求項６】
請求項２，３，４，５のいずれか１つに記載のガイドレールの構造であって、
前記消音帯がガイドレールに着脱自在に取り付けられることを特徴とするガイドレールの構造。
【請求項７】
開口部の両側部に設けられ該両側部に挟まれる前記開口部の一辺部に固定された収納ケースの内部で正逆回転される巻取部材に巻装される開閉体の両側の縁部を受け入れる上端部が前記収納ケースの内部に配置され、上部が開放し前記開閉体の縁部を受け入れるガイド溝を有するガイドレールに、消音帯を取り付ける消音帯の取付方法であって、
前記ガイド溝を挟んで対向する一対の溝対向部のそれぞれに消音帯を取り付け、
前記消音帯は前記上端部から上方へ延出する延出端部を前記開閉体から離反する方向に折り曲げてループ部を形成し、
該延出端部を前記ガイドレールに固定することを特徴とする消音帯の取付方法。
【請求項８】
請求項７記載の消音帯の取付方法であって、
前記ガイドレールの溝対向部に前記消音帯を長手方向に差し込む挿着形状部を形成し、
同一形状の前記挿着形状部を前記ガイドレールの延出端取付部にも形成し、
前記消音帯の延出端部を前記延出端取付部に形成した挿着形状部に差し込んで取り付けることを特徴とする消音帯の取付方法。
【発明の詳細な説明】
【技術分野】
【０００１】
本発明は、シャッターカーテン等の開閉体をガイドするガイドレールの構造及び消音帯の取付方法に関する。
【背景技術】
【０００２】
例えば開閉体であるシャッターカーテンを巻取り・繰出すことにより建造物等の開口部を開閉するシャッター装置では、開閉体がスムースに開閉動作できるように、開口部の両側部に固定した一対のガイドレールに開閉体の両側の縁部を挿入してガイドする。開閉体は、開口部の上辺部に固定された収納ケース内の巻取部材に巻装され、この巻取部材が巻取装置にて正逆回転駆動されることで、収納ケースの出入口部から操出し・巻取られて、開口部を開閉する。このことから、開閉体は、特に巻取部材からガイドレールへ円滑に呑み込まれる必要がある。
【０００３】
このためガイドレールの上端には、巻取部材とガイドレールとの間を移動する開閉体の案内を行うガイド部材が設けられる。このガイド部材は、収納ケース内での開閉体が、開口部開放時である全て巻き取られた状態と、開口部閉鎖時である全て繰り出された状態とでは異なることから必要となる。例えば特許文献１に開示されるシャッター装置の案内装置では、対向する円弧状の案内面を備えた専用別部品をガイドレールの上端に取り付け、開閉体の動作をスムースにしている。また、特許文献２に開示される開閉体装置では、アルミ型材のガイドレールに、切削加工、曲げ加工などを施し、傾斜部分を成形した後、その傾斜部分に消音帯を取り付けていた。
【先行技術文献】
【特許文献】
【０００４】
【特許文献１】実開昭６１−１７３６８９号公報
【特許文献２】特開２００７−１２０２８２号公報
【発明の概要】
【発明が解決しようとする課題】
【０００５】
しかしながら、特許文献１の案内装置は、専用別部品をガイドレールの上端に取り付けるため、組付が煩雑であり、段差が生じることもあり、その段差で引っ掛かることによる騒音の生じる虞もあった。また、特許文献２に開示される開閉体装置は、切削加工、曲げ加工、スリット形成などの複雑な加工を施し、さらに、消音帯の取り付け時にはカシメや接着などを行うため、作業が煩雑である上、切断・切削によって材料が無駄となる問題もあった。
【０００６】
本発明は上記状況に鑑みてなされたもので、その目的は、特殊な加工や別体構造などとせずに、材料費を削減でき、組み付け作業性を向上させることのできるガイドレールの構造及び消音帯の取付方法を提供することにある。
【課題を解決するための手段】
【０００７】
次に、上記の課題を解決するための手段を、実施の形態に対応する図面を参照して説明する。
本発明の請求項１記載のガイドレールの構造は、開口部１１の両側部１３に設けられ該両側部１３に挟まれる前記開口部１１の一辺部１５に固定された収納ケース１７の内部１９で正逆回転される巻取部材２１に巻装される開閉体２３の両側の縁部２５を受け入れる上端部２７が前記収納ケース１７の内部１９に配置されるガイドレール２９の構造であって、
前記上端部２７は前記開閉体２３の縁部２５を受け入れるガイド溝３１の上部３３が開放し、
前記ガイド溝３１を挟んで対向する一対の溝対向部３５のそれぞれには消音帯３７が取り付けられ、
前記消音帯３７は前記上端部２７から上方へ延出する長さを有しかつ延出端部３９が前記開閉体２３から離反する方向に曲げられた後に前記収納ケース１７の内部１９における所定の位置に固定されたことを特徴とする。
【０００８】
このガイドレールの構造では、対向する一対の溝対向部３５のそれぞれに取り付けられた消音帯３７の上端部２７が上方へ延出され、その延出端部３９が開閉体２３から離反する方向に曲げられた後に収納ケース１７の内部１９における所定の位置に固定されることで、ガイド溝３１の上方には上に向かって徐々に広がるガイド溝受入部（呑込み部）が消音帯３７によって形成される。消音帯３７は、所定の硬度を有していることから、上方からガイド溝３１へ向かって接近する開閉体２３は、呑込み部に当たると、対向間隔の拡がった消音帯３７によるガイド面に摺接しながらガイド溝３１へ導入されることとなる。
【０００９】
請求項２記載のガイドレールの構造は、請求項１記載のガイドレール２９の構造であって、
前記収納ケース１７の内部１９における所定の位置が、前記ガイドレール２９とされることを特徴とする。
【００１０】
このガイドレールの構造では、消音帯３７の延出端部３９が、ガイドレール２９に固定されることとなり、開閉体２３から離反する方向に折り曲げられた部分がループ部４１を形成することになり、このループ部４１のガイド面に摺接することとなってガイド溝３１へ開閉体２３が導入されることになる。
【００１１】
請求項３記載のガイドレールの構造は、請求項２記載のガイドレール２９の構造であって、
前記延出端部３９が、前記ガイドレール２９の内側に固定されることを特徴とする。
【００１２】
このガイドレールの構造では、消音帯３７の延出端部３９がガイドレール２９の外側に突出せず、ガイドレール２９の外面が平坦面となり、ガイドレール２９の外面を他部材に接触させた取り付け、例えば建物躯体側で覆われるような構成が可能となる。
【００１３】
請求項４記載のガイドレールの構造は、請求項２又は３記載のガイドレール２９の構造であって、
前記ガイドレール２９に、前記延出端部３９を取り付ける延出端取付部４３が形成されることを特徴とする。
【００１４】
このガイドレールの構造では、延出端部３９をガイドレール２９に固定するための専用別部品が不要となる。
【００１５】
請求項５記載のガイドレールの構造は、請求項２，３，４のいずれか１つに記載のガイドレール２９の構造であって、
前記ガイドレール２９の溝対向部３５には前記消音帯３７を長手方向に差し込む挿着形状部４５が形成され、
同一形状の前記挿着形状部４５が前記ガイドレール２９の延出端取付部４３にも形成されていることを特徴とする。
【００１６】
このガイドレールの構造では、ガイドレール２９の溝対向部３５に形成された挿着形状部４５から突出する消音帯３７の延出端部３９が、延出端取付部４３に形成された挿着形状部４５に差し込まれることにより、ループ部４１を形成した延出端部３９の終端が固定処理される。
【００１７】
請求項６記載のガイドレールの構造は、請求項２，３，４，５のいずれか１つに記載のガイドレール２９の構造であって、
前記消音帯３７がガイドレール２９に着脱自在に取り付けられることを特徴とする。
【００１８】
このガイドレールの構造では、建造物に固定されたガイドレール２９に対しても、消音帯３７が着脱自在となり、消音帯３７の交換のためにガイドレール２９を取り外す必要がなく、特にメンテナンス性が向上する。
【００１９】
請求項７記載の消音帯の取付方法は、開口部１１の両側部１３に設けられ該両側部１３に挟まれる前記開口部１１の一辺部１５に固定された収納ケース１７の内部１９で正逆回転される巻取部材２１に巻装される開閉体２３の両側の縁部２５を受け入れる上端部２７が前記収納ケース１７の内部１９に配置され、上部３３が開放し前記開閉体２３の縁部２５を受け入れるガイド溝３１を有するガイドレール２９に、消音帯３７を取り付ける消音帯３７の取付方法であって、
前記ガイド溝３１を挟んで対向する一対の溝対向部３５のそれぞれに消音帯３７を取り付け、
前記消音帯３７は前記上端部２７から上方へ延出する延出端部３９を前記開閉体２３から離反する方向に折り曲げてループ部４１を形成し、
該延出端部３９を前記ガイドレール２９に固定することを特徴とする。
【００２０】
この消音帯の取付方法では、対向する一対の溝対向部３５のそれぞれに取り付けられた消音帯３７が上端部２７より上方へ延出され、その延出端部３９が開閉体２３から離反する方向に折り曲げられてループ部４１を形成した後にガイドレール２９に固定されることで、ガイド溝３１の上方には上に向かって徐々に広がるガイド溝受入部（呑込み部）が消音帯３７によって形成される。消音帯３７は、所定の硬度を有していることから、上方からガイド溝３１へ向かって接近する開閉体２３は、呑込み部に当たると、ループ部４１のガイド面に摺接しながらガイド溝３１へ導入されることとなる。
【００２１】
請求項８記載の消音帯の取付方法は、請求項７記載の消音帯３７の取付方法であって、
前記ガイドレール２９の溝対向部３５に前記消音帯３７を長手方向に差し込む挿着形状部４５を形成し、
同一形状の前記挿着形状部４５を前記ガイドレール２９の延出端取付部４３にも形成し、
前記消音帯３７の延出端部３９を前記延出端取付部４３に形成した挿着形状部４５に差し込んで取り付けることを特徴とする。
【００２２】
この消音帯の取付方法では、ガイドレール２９の溝対向部３５に形成された挿着形状部４５から突出する消音帯３７の延出端部３９が、延出端取付部４３に形成された挿着形状部４５に差し込まれることにより、ループ部４１を形成した延出端部３９の終端が固定処理される。
【発明の効果】
【００２３】
本発明に係る請求項１記載のガイドレールの構造によれば、ガイドレールの上端部を、特殊加工や別体構造などとせずに、消音帯を変形させてガイド溝受入部（呑込み部）を形成でき、この形成された呑込み部によって開閉体のガイド溝への導入が可能となる。そしてこのような構造としたことで、組み付け作業性が向上し、材料費や金型コストを削減することができるとともに、組み付け作業性の向上による製造コストも削減でき、しかも、メンテナンス性も向上させることができる。
【００２４】
請求項２記載のガイドレールの構造によれば、ガイドレールの上端部から上方に延出する消音帯の延出端部が、開閉体から離反する方向に屈曲変形させてガイド溝受入部（呑込み部）を形成しガイドレールに固定され、この形成された呑込み部が所定の硬度を有する消音帯によりループ部となり、開閉体のガイド溝への導入が可能となる。
【００２５】
請求項３記載のガイドレールの構造によれば、消音帯の延出端部がガイドレールの外側に突出せず、ガイドレールの外面を平坦面に構成することができ、また、この延出端部がガイドレール周辺の他部材と干渉することを回避でき、ガイドレールの取り付け性を向上させることができる。
【００２６】
請求項４記載のガイドレールの構造によれば、専用の別部品を必要とせずに延出端部をガイドレールに取り付けることができ、作業性を向上させることが可能となるとともに、部品数の削減、部品コストの低減が可能となり、専用別部品を管理する必要もない。
【００２７】
請求項５記載のガイドレールの構造によれば、溝対向部に形成された挿着形状部と同一形状の挿着形状部が延出端取付部に形成されることで、消音帯の延出端部を差し込むことができ、ループ部の形成をより容易なものとすることができる。特に押出成形材からなるガイドレールでは、成形金型の口金の形状変更のみで別部品を用いずに、すなわち折り曲げ加工や溶接加工などすることなく挿着形状部を成形できる。
【００２８】
請求項６記載のガイドレールの構造によれば、消音帯を着脱自在とすることで、ガイド溝における消音帯及び延出端部となる消音帯の一連の消音帯部材が、ガイドレールを建造物から取り外すなどの煩雑さを無くして、一括して取り付け及び交換でき、製造時の組立作業性や、メンテナンス時の交換作業性を良好にできる。
【００２９】
請求項７記載の消音帯の取付方法によれば、ガイドレールの上端部を、特殊加工や別体構造などとせずに、消音帯を変形させてガイド溝受入部（呑込み部）を形成でき、組み付け作業性、メンテナンス性を向上させることができる。
【００３０】
請求項８記載の消音帯の取付方法によれば、別部品を用いずに、差し込みによる簡単な作業で、延出端部を容易にしかも正確に取り付けできる。
【図面の簡単な説明】
【００３１】
【図１】（ａ）は本発明に係るガイドレールの構造を備えた開閉装置を概念的に表した側面図、（ｂ）はそのＡ−Ａ矢視図である。
【図２】ガイドレールの上端部の斜視図である。
【図３】図２のＢ−Ｂ矢視図である。
【図４】図２に示したガイドレールの正面図である。
【図５】変形例に係る消音帯を用いたガイドレールの構造の斜視図である。
【図６】図５のＣ−Ｃ断面図である。
【図７】（ａ）は外方ビスによるガイドレール内面付けの変形例に係る要部断面図、（ｂ）はその正面図である。
【図８】（ａ）は外方ビスによるガイドレール外面付けの変形例に係る要部断面図、（ｂ）はその正面図である。
【図９】（ａ）は断面Ｔ字状の挿着形状部を備えた変形例に係るガイドレールの構造の要部断面図、（ｂ）は挿着形状部の向きが異なる変形例に係るガイドレールの構造の要部断面図、（ｃ）はガイドレールが幅狭の場合の要部断面図である。
【図１０】（ａ）はＬ字状の嵌合空間を有する嵌め込み式の消音帯を用いた変形例に係る要部断面図、（ｂ）はその斜視図である。
【発明を実施するための形態】
【００３２】
以下、本発明の実施の形態を図面を参照して説明する。
図１（ａ）は本発明に係るガイドレールの構造を備えた開閉装置を概念的に表した側面図、（ｂ）はそのＡ−Ａ矢視図、図２はガイドレールの上端部の斜視図、図３は図２のＢ−Ｂ矢視図、図４は図２に示したガイドレールの正面図である。
本発明に係るガイドレールの構造は、例えばシャッターカーテン等の開閉体２３を操出し・巻取ることにより開口部１１を開閉するシャッター装置等の開閉装置４７に好適に用いることができる。建造物や構造物における開口部１１の両側部１３には、ガイドレール２９が一対固定されている。両側部１３に挟まれる開口部１１の上側の一辺部１５には収納ケース１７が固定されている。収納ケース１７の内部１９には、一辺部１５に沿う方向の駆動軸４９を回転中心として正逆回転される巻取部材２１が設けられている。
【００３３】
ガイドレール２９は、巻取部材２１に巻装される開閉体２３の両側の縁部２５を受け入れる図２に示す上端部２７が、収納ケース１７の内部１９に配置される。上端部２７は開閉体２３の縁部２５を受け入れるガイド溝３１の上部３３が開放している。ガイドレール２９は、ガイド溝３１を挟んで対向する一対の溝対向部３５のそれぞれに、消音帯３７が取り付けられる。
【００３４】
消音帯３７は、可撓性の有る硬質性樹脂素材からなり、それほど柔らかくはなく適宜な剛性を備えた真直性のある素材であるが、図２に示すように、数センチの曲げ半径で手作業にて折り曲げ可能な可撓性を有する。消音帯３７の断面形状としては、図３に示すように、例えば、く字状のヒレ部３７ａと、裾広がりの取付脚部３７ｂとを備えた形状とすることができるが、これに限定されるものではない。
【００３５】
消音帯３７は、ガイドレール２９の全長よりも長く形成されている。消音帯３７は、上端部２７から上方へ延出する長さを有し、かつ延出端部３９が開閉体２３から離反する方向（図２の矢印ａ方向）に折り曲げられてループ部４１を形成する。延出端部３９は、ループ部４１を形成した後に、ガイドレール２９に固定される。これにより、消音帯３７は、曲げた部分（ループ部４１）を、ガイドレール２９の呑込み部に兼用する。二つのループ部４１の対向する内側面は、開閉体２３のガイド面４１ａとなる。
【００３６】
本実施の形態において、延出端部３９は、ガイドレール２９の内側に固定される。消音帯３７の延出端部３９は、ガイドレール２９の外側に突出せず、ガイドレール２９の図４及び図３に示す外面５１が平坦面となり、ガイドレール２９の外面５１を不図示の他部材に接触させた取り付けが可能となる。これにより、延出端部３９が他部材と干渉することを回避でき、すなわちガイドレール２９の外側に接して構築される建造物の外壁や窓枠部材などと干渉することなく、ガイドレール２９の取り付け性を向上させることができるようになされている。
【００３７】
ガイドレール２９には、延出端部３９を取り付ける図３に示す延出端取付部４３が形成されている。延出端部３９は、ガイドレール２９に固定するための専用別部品、例えば特許文献１に開示される案内部などが不要となっている。したがって、専用別部品を必要とせずに延出端部３９を取り付けでき、作業性が向上するとともに、部品コストを大幅に低減でき、専用別部品を管理する必要もない。
【００３８】
本実施の形態では、ガイドレール２９の溝対向部３５に、消音帯３７を長手方向に差し込む挿着形状部４５が形成される。また、同一形状の挿着形状部４５が、ガイドレール２９の延出端取付部４３にも形成されている。ガイドレール２９の溝対向部３５に形成された挿着形状部４５から突出する消音帯３７の延出端部３９は、延出端取付部４３に形成された挿着形状部４５に差し込まれることにより、ループ部４１を形成した延出端部３９の終端が固定処理される。つまり、ガイド溝３１に消音帯３７を取り付けるための挿着形状部４５を、延出端部３９を取り付ける構造に利用している。押出成形材からなるガイドレール２９では口金の形状変更のみで専用別部品を用いずに挿着形状部４５を容易に成形できる。
【００３９】
次に、上記ガイドレールの構造における消音帯３７の取付方法を説明する。
ガイドレール２９に消音帯３７を取り付けるには、ガイドレール２９の長手方向一端側から、挿着形状部４５に消音帯３７の取付脚部３７ｂを差し入れる。ガイド溝３１を挟んで対向する一対の溝対向部３５のそれぞれに消音帯３７を取り付ける。消音帯３７の差し入れは、ガイドレール２９を建造物の躯体側へ固定する前、固定した後のいずれであってもよい。消音帯３７の全長は、消音帯３７を差し入れるガイドレール２９の長さに加え、上記ループ部４１と、挿着形状部４５への固定代を確保する分だけ長く形成しておく。
【００４０】
消音帯３７の余長部分、すなわちガイドレール２９に差し入れた部分以外の延出部分は、ガイドレール２９の上端部２７から延出端部３９として突出させ、それぞれの消音帯３７の延出端部３９を、開閉体２３から離反する方向、すなわち開閉体２３の表裏面から離れる方向（図２の矢印ａ方向）に折り曲げて、それぞれでループ部４１を形成した後に、ガイド溝３１と反対側に設けた挿着形状部４５に挿入する。
【００４１】
ガイドレール２９の溝対向部３５には挿着形状部４５が形成されている。また、同一形状の挿着形状部４５が延出端取付部４３にも形成されている。したがって、延出端部３９は、延出端取付部４３の挿着形状部４５に簡単に差し込んで取り付けできる。ガイドレール２９の溝対向部３５に形成した挿着形状部４５から突出する延出端部３９は、延出端取付部４３の挿着形状部４５に差し込まれることにより、ループ部４１を形成した延出端部３９の終端が固定処理される。つまり、専用別部品を用いてビス止め固定などをせずに、差し込みによる簡単な作業で、延出端部３９を容易にしかも正確に位置決めして取り付けできるようになされている。
【００４２】
挿入した延出端部３９は、不図示の接着剤や固定ビス等によって固定してもよい。これにより、ガイド溝３１の上方には上に向かって徐々に広がるガイド溝受入部、すなわち呑込み部５３が消音帯３７によって形成される。消音帯３７は、所定の硬度を有した可撓性素材とされていることから、略放物線状或いは略Ｕ字状の滑らかな曲線を形成し、上方からガイド溝３１へ向かって接近する開閉体２３は、呑込み部５３に当たると、ループ部４１のガイド面４１ａに摺接しながらガイド溝３１へ導入されることとなる。
【００４３】
このように、上記したガイドレールの構造及び消音帯の取付方法では、ガイドレール２９を切削加工、スリット形成、曲げ加工、カシメなどの複雑な加工を行う必要がなく、手間が掛からない。すなわち、ガイドレール２９の上端部２７は、真っ直ぐに、すなわちガイドレール２９の長手方向に直交方向となる水平に切断すれば良く、製作が極めて簡単となる。
【００４４】
次に、上記実施の形態の変形例を説明する。
図５は変形例に係る消音帯を用いたガイドレールの構造の斜視図、図６は図５のＣ−Ｃ断面図である。
図５，図６に示す変形例に係るガイドレールの構造は、消音帯３７Ａの断面形状が、上記の消音帯３７よりも簡素な形状となっている。上記した消音帯３７のヒレ部３７ａ、取付脚部３７ｂの代わりに、摺接部３７Ａａ、挿入部３７Ａｂが形成される。消音帯３７Ａは、挿入部３７Ａｂが挿着形状部４５に差し込まれることで、挿着形状部４５に沿って平面帯状の摺接部３７Ａａが取り付けられる。
この変形例によれば、消音帯３７Ａを安価にできる。
【００４５】
図７（ａ）は外方ビスによるガイドレール内面付けの変形例に係る要部断面図、（ｂ）はその正面図である。
図７に示す変形例に係るガイドレールの構造は、ガイドレール２９の内側に、上記実施の形態で述べた延出端部３９を固定するための挿着形状部４５が形成されていない。つまり、ガイドレール２９を簡素にできる。延出端部３９は、ガイドレール２９の内面５５に沿わせて外方より固定ビス５７にて固定する。
この変形例によれば、ガイドレール２９の外面５１が躯体などによって隠れない場合、外面５１から固定ビス５７によって良好な作業性で延出端部３９を固定することができる。また、この固定ビス５７を取り除くことで、消音帯３７Ａを取り外すことが可能であり、メンテナンス性も向上できる。
【００４６】
図８（ａ）は外方ビスによるガイドレール外面付けの変形例に係る要部断面図、（ｂ）はその正面図である。
図８に示す変形例に係るガイドレールの構造は、延出端部３９を、ガイドレール２９の外面５１に沿わせて外方より固定ビス５７にて固定する。
この変形例によれば、ガイドレール２９の外面５１が躯体などによって隠れない場合、ガイドレール２９の外側に配置した延出端部３９を、外面５１へ固定ビス５７によって固定できる。延出端部３９をガイドレール２９の内側に挿入せずに、さらに良好な作業性で延出端部３９を固定及び取り外しが可能となる。
【００４７】
図９（ａ）は断面Ｔ字状の挿着形状部を備えた変形例に係るガイドレールの構造の要部断面図、（ｂ）は挿着形状部の向きが異なる変形例に係るガイドレールの構造の要部断面図、（ｃ）はガイドレールが幅狭の場合の要部断面図である。
図９（ａ）に示す変形例に係るガイドレールの構造は、挿着形状部４５Ｂが、断面Ｔ字状のレール部となる。一方、消音帯３７Ｂにはこの挿着形状部４５Ｂに長手方向から差し入れられる蟻溝部５９が形成される。挿着形状部４５Ｂは、上記の挿着形状部４５に比べ簡素な構造となる。
この変形例によれば、ガイドレール２９の断面形状が簡素となり、このガイドレール２９が押出成形品であれば、その成形用口金を簡単にできる。また、折曲加工成形により得られるガイドレールとしても可能である。
【００４８】
図９（ｂ）に示す変形例に係るガイドレールの構造は、溝対向部３５に設けられる挿着形状部４５と、延出端部３９を差し入れるための挿着形状部４５が、直交する位置関係で配置される。これにより、溝対向部３５の挿着形状部４５から延出した消音帯３７は、９０度捩られて延出端部３９用の挿着形状部４５に取り付けられる。
この変形例によれば、捩られることで、図２に示す矢印ａ方向への消音帯３７の撓み強度を高くすることができる。
【００４９】
図９（ｃ）に示す変形例に係るガイドレールの構造は、ガイドレール２９Ａが、ガイド溝３１を挟んで断面コ字状に形成される。ガイドレール２９Ａは、溝対向部３５の内側に挿着形状部４５が形成される。溝対向部３５の挿着形状部４５から延出した延出端部３９は、挿着形状部４５の背面となるガイドレール２９Ａの外面５１に接着等により固定される。
この変形例によれば、溝対向部３５の挿着形状部４５に消音帯３７Ａを取り付けることで、ガイド溝３１を幅狭にでき、別言すると、ガイド溝３１の幅長が狭く、上述した各実施の形態のようなガイドレール内部に空間を有さない簡素な構造のガイドレール２９Ａで、開閉体２３の縁部２５をガイドすることができる。特に、厚みが小さいシート状シャッターカーテンを開閉体としたシャッター装置に用いて好適となる。
【００５０】
図１０（ａ）はＬ字状の嵌合空間を有する嵌め込み式の消音帯を用いた変形例に係る要部断面図、（ｂ）はその斜視図である。
図１０に示すガイドレールの構造は、ガイドレール２９Ｃの溝対向部３５に、断面Ｌ字状の挿着形状部４５Ｃが形成される。一方、消音帯３７Ｃは、所定の剛性を有する弾性素材からなり、上記断面Ｌ字状の挿着形状部４５Ｃに被さる開放空間部６１を有した略チューブ状に形成される。消音帯３７Ｃは、長手方向に沿って開口する取付スリット６３によって開放空間部６１が開放される。延出端部３９は、図１０（ｂ）に示すように、ガイドレール２９Ｃに形成した切り込み６５に、上方から下向きに差し入れる。つまり、消音帯３７Ｃは、この取付スリット６３を挿着形状部４５Ｃに嵌め入れることで正面からの嵌め込みが可能となっている。これにより、消音帯３７Ｃは、ガイドレール２９Ｃに着脱自在に取り付けられる。
【００５１】
この変形例では、建造物に固定されたガイドレール２９Ｃに対して、消音帯３７Ｃが着脱自在となり、消音帯３７Ｃの交換のためにガイドレール２９Ｃを取り外す必要がなく、特にメンテナンス性が向上する。
したがって、この変形例によれば、消音帯３７Ｃ及び延出端部３９にて形成されるループ部４１となる消音帯３７Ｃの一連の消音帯部材が一括して取付け及び交換でき、製造時の組立作業性や、メンテナンス時の交換作業性を良好にできる。
【００５２】
また、図示は省略するが、ガイドレールの構造は、ガイドレールに同一長さの挿着形状部を対向して形成し、上端で折り返してガイドレールの略二倍の長さの消音帯を取り付ける構成とすることもできる。この構成では、溝対向部に位置する消音帯と、略同一長さの消音帯が予備の消音帯として装備されることになる。
この変形例によれば、メンテナンス時に、今まで使用していなかった予備の消音帯を差し替えて使うことができ、消音帯を取り替えるのではなく、着け替えることで、メンテナンス性を一層に向上させることができる。
【００５３】
なお、上述した各実施の形態では、ガイドレール２９の上端部２７から上方へ延出する消音帯３７の延出端部３９を曲げてガイドレール２９に固定することで、略放物線状或いは略Ｕ字状のループ部４１を形成して呑込み部とし、開閉体２３のガイドを行うよう構成した例について述べたが、延出端部３９の固定位置として、上記したガイドレール２９への固定ではなく、延出端部３９をガイドレール２９以外の例えばまぐさや躯体、収納ケース１７の内側面などを固定位置とし、ビスやリベット、又は接着剤などの固定手段で固定してループ部４１を形成する構成としてもよい。
【００５４】
また、延出端部３９にループ部４１を形成せず、ガイドレール２９の挿着形状部４５の端部から延出した状態で、ガイドレール２９以外の収納ケース１７の内部における所定の位置、例えばまぐさや躯体、或いは収納ケース１７の内側垂直面などに、ビスやリベット或いは接着剤などの固定手段にてて固定する構成としてもよい。この場合の延出端部３９は、上記したような略放物線状や略Ｕ字状ではなく、傾斜状の配置や、弧状に形成したり、略Ｓ字状など延出端部３９の終端が固定状態で湾曲するような配置とされ、この延出端部３９が開閉体２３の表裏面から離れる方向に屈曲するような構成とされる。
【００５５】
したがって、上記実施の形態に係るガイドレールの構造及び消音帯の取付方法によれば、ガイドレール２９の上端部２７を、切削や曲げ加工などの特殊な加工や別体構造などとせずに、消音帯３７を変形させることのみで呑込み部５３を形成でき、材料費や金型コストが削減できるとともに、組み付け作業性の向上による製造コストも削減でき、しかも、着脱自在としてメンテナンス性も向上させることができる。
【符号の説明】
【００５６】
１１…開口部
１３…両側部
１５…一辺部
１７…収納ケース
１９…内部
２１…巻取部材
２３…開閉体
２５…縁部
２７…上端部
２９…ガイドレール
３１…ガイド溝
３３…上部
３５…溝対向部
３７…消音帯
３９…延出端部
４１…ループ部
４３…延出端取付部
４５…挿着形状部
【図１】
0005551005.tif 000002
【図２】
0005551005.tif 000003
【図３】
0005551005.tif 000004
【図４】
0005551005.tif 000005
【図５】
0005551005.tif 000006
【図６】
0005551005.tif 000007
【図７】
0005551005.tif 000008
【図８】
0005551005.tif 000009
【図９】
0005551005.tif 000010
【図１０】
0005551005.tif 000011